(57)【特許請求の範囲】
【請求項１】
送信側信号伝送装置に入力される音声信号とファクシミリ信号とが混在した入力信号をファクシミリ復調又は音声符号化して送信し、この送信された信号を受信側信号伝送装置において受信し、ファクシミリ変調又は音声復号することによって、上記入力信号を伝送する音声ファクシミリ信号伝送方法において、上記受信側信号伝送装置がＴ．３０標準手順におけるディジタル識別信号を送出した後に、上記送信側信号伝送装置において、上記入力信号に付加された制御信号が非標準機能設定信号であるかどうかを判定する第１の信号判定ステップと、この第１の信号判定ステップにおいて非標準機能設定信号でないと判定した場合に、さらに上記制御信号が所定の制御信号であるかどうかを判定する第２の信号判定ステップと、この第２の信号判定ステップにおいて所定の制御信号でないと判定した場合に上記入力信号を音声符号化して送信する信号送信ステップとを備えたことを特徴とする音声ファクシミリ信号伝送方法。
【請求項２】
請求の範囲第１項において、上記第２の信号判定ステップは、上記制御信号がディジタル命令信号であるかどうかを判定することを特徴とする音声ファクシミリ信号伝送方法。
【請求項３】
請求の範囲第１項において、上記第２の信号判定ステップは、上記制御信号がＴ．３０に規定された信号であるかどうかを判定することを特徴とする音声ファクシミリ信号伝送方法。
【請求項４】
請求の範囲第１項において、上記信号送信ステップは、上記第２の信号判定ステップにおいて所定の制御信号でないと判定した場合に、上記入力信号を音声符号化し、音声符号化された信号であることを示す補助情報を付加して送信することを特徴とする音声ファクシミリ信号伝送方法。
【請求項５】
トランク側に入力される音声信号とファクシミリ信号とが混在したトランク側入力信号をファクシミリ復調するファクシミリ信号復調部と、上記トランク側入力信号を音声符号化する音声符号化部と、上記トランク側入力信号に付加された制御信号に基づいて上記トランク側入力信号を上記ファクシミリ信号復調部又は上記音声符号化部のいずれに入力するかを判定する復調伝送判定部と、この復調伝送判定部の判定に基づいて上記ファクシミリ信号復調部又は上記音声符号化部のいずれかを切り換えてベアラ側へ信号を送信する送信部とを備え、上記復調伝送判定部は、Ｔ．３０標準手順におけるディジタル識別信号をベアラ側入力信号より受信した後に、上記トランク側入力信号に付加された制御信号が、非標準機能設定信号ではなく、さらに所定の制御信号でもない場合には上記トランク側入力信号を上記音声符号化部へ入力すると判定することを特徴とする音声ファクシミリ信号伝送装置。
【請求項６】
請求の範囲第５項において、上記復調伝送判定部は、Ｔ．３０標準手順におけるディジタル識別信号をベアラ側入力信号より受信した後に、上記トランク側入力信号に付加された制御信号が、非標準機能設定信号ではなく、さらにディジタル命令信号でもない場合には、上記トランク側入力信号を上記音声符号化部へ入力すると判定することを特徴とする音声ファクシミリ信号伝送装置。
【請求項７】
請求の範囲第５項において、上記復調伝送判定部は、Ｔ．３０標準手順におけるディジタル識別信号をベアラ側入力信号より受信した後に、上記トランク側入力信号に付加された制御信号が、非標準機能設定信号ではなく、さらにＴ．３０に規定された信号でもない場合には、上記トランク側入力信号を上記音声符号化部へ入力すると判定することを特徴とする音声ファクシミリ信号伝送装置。
【請求項８】
請求の範囲第５項において、上記送信部は、上記復調伝送判定部の判定により上記トランク側入力信号を上記音声符号化部へ入力すると判定した場合に、上記音声符号化部から出力される信号に、音声符号化された信号であることを示す補助情報を付加する補助情報付加部を具備したことを特徴とする音声ファクシミリ信号伝送装置。
【発明の詳細な説明】
技術分野
この発明は、音声及びファクシミリ信号を効率良く伝送することができる音声ファクシミリ信号伝送方法、及び音声ファクシミリ信号伝送装置に関するものである。
背景技術
ＤＣＭＥ（Ｄｉｇｉｔａｌ  Ｃｉｒｃｕｉｔ  Ｍｕｌｔｉｐｌｉｃａｔｉｏｎ  Ｅｑｕｉｐｍｅｎｔ：ディジタル回線多重化装置）のような装置においては、ファクシミリ信号を効率良く伝送するために、ファクシミリ復調伝送技術を用いている。これは、ファクシミリ端末から出力された、モデム変調信号を一旦復調し、伝送路に復調データとして伝送し、対向装置にて、再変調して出力するというものである。ファクシミリ端末から出力されるモデム変調信号には、通信制御用のＶ．２１／３００ｂｐｓ信号と、原稿画像伝送用高速モデム変調信号（例えばＶ．１７／１４．４ｋｂｐｓ）とがある。上記のようなＤＣＭＥによる復調伝送を行う為には、信号に応じて適切なモデムを選択する必要がある。その一般的な方法として、例えば、ＩＴＵ−Ｔ  Ｔ．３０に規定されているファクシミリ通信制御プロトコルを監視する方法がある。
第８図は、特開平９−４６４９５に示された従来のファクシミリ信号伝送装置の一例を示すブロック図である。第８図においては、１は音声信号やファクシミリ端末からのモデム変調信号が入力されるトランク側入力信号線、２はこの装置により復調伝送するベアラ側出力信号線であり、３は送信ルート切換器、４は受信ルート切換器である。５はトランク側入力信号線１から入力されるモデム変調信号を復調し、ベアラ側から入力される復調されたファクシミリ信号を変調するファクシミリ変復調器部（以下、「ファクシミリモデム部」という）である。６はファクシミリモデム部５で復調されたファクシミリ信号を音声信号やデータ信号等の他信号と多重化してベアラ側に送出する送信側多重化制御器であり、７はベアラ側から送られてくる多重化信号からファクシミリ信号を分離する受信側多重化制御器であり、ここで分離された受信ルート切換器４によって、ファクシミリモデム部５に入力される。８は装置全体を制御する制御部を構成するＣＰＵ、９はファクシミリ信号を検出するファクシミリ信号検出器、１０は通信制御信号を復調するＶ．２１モデムである。
次に従来のファクシミリ信号伝送装置における復調伝送制御について説明する。まず、送信側から説明する。トランク側音声ファクシミリ信号入力線の音声信号とファクシミリ信号とが混在した音声ファクシミリ信号は、ファクシミリ信号検出器９及び送信ルート切替器３に入力される。ファクシミリ信号検出器９は、入力信号がファクシミリ信号であるかを判定し、その結果を送信ルート切替器３へ出力する。この判定結果により、送信ルート切替器３は入力信号が音声のときはそのまま送信側多重化制御器６へ出力し、入力信号がファクシミリ信号のときにはファクシミリモデム部５へ出力する。ファクシミリモデム部５は、モデム信号を復調して送信ルート切替器３へ出力する。送信ルート切替器３は、復調されたファクシミリベースバンドデータとファクシミリ信号を送信側多重化制御器６へ出力する。送信側多重化制御器６はファクシミリモデム部５で復調されたファクシミリ信号を音声信号やデータ信号等の他の信号と多重化してベアラ側に送出する。
次に、受信側について説明する。受信側ではベアラ側から入力された信号が受信側多重化制御器７を経由して、受信ルート切替器４に入力される。受信側多重化制御器７はベアラ側から送られてくる多重化信号からファクシミリ信号を分離する。ファクシミリ信号は受信ルート切替器４によりファクシミリモデム部５に送られる。ファクシミリモデム部５は、このファクシミリ信号を変調して受信ルート切替器４へ出力する。受信ルート切替器４はファクシミリ通信中のチャネルについてはファクシミリモデム部５から入力したファクシミリ信号を、その他のチャネルについては音声ルートから入力した信号をトランク側へ出力する。
上記のファクシミリ信号の流れは、標準プロトコルによる場合を示している。その一般的な方法としては、ＩＴＵ−Ｔ  Ｔ．３０に規定されているファクシミリ通信制御プロトコルを監視し、標準プロトコルによるものかどうかを判断することによって、ファクシミリモデム部を使用した復調伝送制御を行う方法がある。
しかし、ファクシミリ端末には、上記規定に属さない各ファクシミリ装置製造メーカ独自のプロトコルをオプションとして採用しているものがある。独自プロトコルを採用している場合、同じメーカ同士のファクシミリ通信においては、その独自プロトコルによる伝送が行えるが、独自プロトコルが一般的には開示されていないため、ファクシミリ復調伝送においては、独自プロトコル通信の復調伝送を行うことができない。
第９図は、ＩＴＵ−Ｔ  Ｔ．３０に規定されているファクシミリ通信制御手順を説明する模式図である。また、第１０図は上記規定に属さないファクシミリ装置製造メーカ独自のファクシミリ通信制御手順を示す模式図である。
ＩＴＵ−Ｔ  Ｔ．３０に規定されているファクシミリ通信制御手順（標準手順）を第９図を参照して説明する。送信側ファクシミリ装置が受信側ファクシミリ装置に対してファクシミリ信号（コマンド）を送出する場合、受信側ファクシミリ装置は、着呼信号（ＣＮＧ：Ｃａｌｌｉｎｇ  Ｔｏｎｅ）を受信すると非呼局識別信号（ＣＥＤ：Ｃａｌｌｅｄ  Ｓｔａｔｉｏｎ  Ｉｄｅｎｔｉｆｉｃａｔｉｏｎ）を送出して応答した後、ディジタル識別信号（ＤＩＳ：Ｄｉｇｉｔａｌ  Ｉｄｅｎｔｉｆｉｃａｔｉｏｎ  Ｓｉｇｎａｌ）を送信側ファクシミリ装置に送出する。標準手順においては、送信側ファクシミリ装置は、ディジタル命令信号（ＤＣＳ：Ｄｉｇｉｔａｌ  Ｃｏｍｍａｎｄ  Ｓｉｇｎａｌ）を送出し、トレーニングチェック信号（ＴＲＮ：Ｔｒａｉｎｉｎｇ）を送出する。受信側ファクシミリ装置は、受信準備確認信号（ＣＦＲ：Ｃｏｎｆｉｒｍａｔｉｏｎ  ｔｏ  Ｒｅｃｅｉｖｅ）により応答する。以降は、送信側ファクシミリ装置から画像データ（ＰＩＸ：Ｐｉｘｅｌ）が送出され、手順終了信号（ＥＯＰ：Ｅｎｄ  ｏｆ  Ｐｒｏｃｅｄｕｒｅ）に対して、受信側ファクシミリ装置はメーセージ確認信号（ＭＣＦ：Ｍｅｓｓａｇｅ  Ｃｏｎｆｉｒｍａｔｉｏｎ）によって応答し、送信側ファクシミリ装置からの切断命令信号（ＤＣＮ：Ｄｉｓｃｏｎｎｅｃｔ）によって一連の伝送手順が終了する。
ファクシミリ装置製造メーカ独自のファクシミリ通信制御の場合の手順の一例を第１０図を参照して説明する。ディジタル識別信号ＤＩＳが発呼側に送出されるまでは第９図に示す標準手順と同じである。その後、送信側から独自プロトコルの開始を示す非標準機能設定信号ＮＳＳが送出され、以降は非標準の独自プロトコルでの通信が行われる。
従来の伝送装置においては、上記のようなファクシミリ通信制御プロトコルを監視することによって伝送を制御している。すなわち、復調伝送と、モデム伝送用音声コーデックによる伝送とを切り替えている。例えば、Ｔ．３０における標準手順によってファクシミリ通信手順を実行するファクシミリ端末同士の通信の場合は、第１１図に示すように、受信側ファクシミリ端末からのＤＩＳ信号を検出した後、復調伝送を開始するよう伝送を制御している。
また、非標準手順の場合は、第１２図に示すように、送信側からの、独自プロトコルの開始を示すＮＳＳ信号を検出した後、復調伝送を停止し、モデム伝送用音声コーデックでの伝送に切り替えるといった処理を行っている。このことにより、非標準手順の場合であってもファクシミリ端末間で正常に伝送が行われる
しかし、ある種のファクシミリ装置においては、ＮＳＳ信号を出さずに独自プロトコル伝送を行うものがある。ＮＳＳ信号を検出しモデム用音声コーデックによる伝送に切り替える処理を行う方法においては、ＮＳＳ信号が検出されないので復調伝送のまま信号が伝送されるが、実際には独自プロトコルによる伝送のため、正常に復調伝送できず、さらには異常切断するといった問題点があった。この場合の伝送シーケンスを第１３図に示す。受信側ファクシミリ端末がＤＩＳ信号を送出すると、伝送装置はこのＤＩＳ信号を検出した後、復調伝送を開始する。送信側ファクシミリ端末がＮＳＳ信号を出さずにＮＳＳ信号以外の独自信号を出力した場合は、伝送装置は、ＮＳＳ信号を検出していないために復調伝送を継続する。その結果、伝送装置は送信側ファクシミリ端末の非標準手順に基づく独自信号（高速信号）を受信側ファクシミリ端末に対して正常に伝送することができない。
発明の開示
この発明は上記のような問題点を解消するためになされたものであり、Ｔ．３０における標準手順によるファクシミリ信号伝送と、非標準手順によるファクシミリ信号伝送とを正しく実行することができるとともに、それ以外の独自手順を採用するファクシミリ装置に対しても、独自プロトコルを正常に伝送することができる音声ファクシミリ信号伝送方法及び音声ファクシミリ信号伝送装置を得ることを目的とする。
この目的を達成するために、この発明に係る音声ファクシミリ信号伝送方法は、音声ファクシミリ信号を伝送する際に、その信号に付加された制御信号に対する各種の判定処理を行うこととした。すなわち、この発明は、送信側信号伝送装置に入力される音声信号とファクシミリ信号とが混在した入力信号をファクシミリ復調又は音声符号化して送信し、この送信された信号を受信側信号伝送装置において受信し、ファクシミリ変調又は音声復号することによって、上記入力信号を伝送する音声ファクシミリ信号伝送方法に関するものであり、上記受信側信号伝送装置がＴ．３０標準手順におけるディジタル識別信号を送出した後に、上記送信側信号伝送装置において、上記入力信号に付加された制御信号についての判定処理を行うようにしたものである。この判定処理は、非標準機能設定信号であるかどうかを判定する第１の信号判定ステップと、この第１の信号判定ステップにおいて非標準機能設定信号でないと判定した場合に、さらに上記制御信号が所定の制御信号であるかどうかを判定する第２の信号判定ステップとを備えるものである。この所定の制御信号かどうかの判定として、上記制御信号がディジタル命令信号であるかどうかの判定、又は上記制御信号がＴ．３０に規定された信号であるかどうかの判定を行う。そして、この第２の信号判定ステップにおいて所定の制御信号でないと判定した場合には、上記入力信号を音声符号化して送信する信号送信ステップを備える。この構成によれば、Ｔ．３０制御信号である非標準機能設定信号を出力せずに独自手順を採用するファクシミリ装置からのファクシミリ信号を誤って復調伝送することなく、音声符号化して伝送することが可能となる。さらに、この発明に係る音声ファクシミリ信号伝送方法は、上記のようにして音声符号化して伝送する信号に、その信号が音声符号化された信号であることを示す補助情報を付加するステップを備える構成としてもよい。この構成によって、受信側信号伝送装置は、その補助情報に基づいて伝送された信号をファクシミリ変調することなく正しく音声復号することができる。
また、この発明に係る音声ファクシミリ信号伝送装置は、トランク側に入力される音声信号とファクシミリ信号とが混在したトランク側入力信号をファクシミリ復調するファクシミリ信号復調部と、上記トランク側入力信号を音声符号化する音声符号化部と、上記トランク側入力信号に付加された制御信号に基づいて上記トランク側入力信号を上記ファクシミリ信号復調部又は上記音声符号化部のいずれに入力するかを判定する復調伝送判定部と、この復調伝送判定部の判定に基づいて上記ファクシミリ信号復調部又は上記音声符号化部のいずれかを切り換えてベアラ側へ信号を送信する送信部とを備え、上記復調伝送判定部は、Ｔ．３０標準手順におけるディジタル識別信号をベアラ側入力信号より受信した後に、上記トランク側入力信号に付加された制御信号が、非標準機能設定信号ではなく、さらに所定の制御信号でもない場合には上記トランク側入力信号を上記音声符号化部へ入力すると判定するものである。この復調伝送判定部における所定の制御信号であるかどうかの判定として、ディジタル命令信号であるかどうかの判定、又はＴ．３０に規定された信号であるかどうかの判定を行う。この構成によれば、Ｔ．３０制御信号である非標準機能設定信号を出力せずに独自手順を採用するファクシミリ装置からのファクシミリ信号を誤って復調伝送することなく、音声符号化して伝送することが可能となる。さらに、この発明に係る音声ファクシミリ信号伝送装置は、上記送信部に、上記復調伝送判定部の判定により上記トランク側入力信号を上記音声符号化部へ入力すると判定した場合に、上記音声符号化部から出力される信号に、音声符号化された信号であることを示す補助情報を付加する補助情報付加部を具備する構成としてもよい。この構成によって、受信側信号伝送装置は、その補助情報に基づいて伝送された信号をファクシミリ変調することなく正しく音声復号することができる。
【図面の簡単な説明】
第１図は、この発明の実施の形態１に係る音声ファクシミリ信号伝送装置の構成を示すブロック図である。
第２図は、この発明の実施の形態１に係る音声ファクシミリ信号伝送方法における判定処理について説明するフローチャートである。
第３図は、この発明の実施の形態１に係る音声ファクシミリ信号伝送装置における信号の流れを説明する模式図である。
第４図は、この発明の実施の形態１に係る音声ファクシミリ信号伝送装置における信号の流れを説明する模式図である。
第５図は、この発明の実施の形態１に係る音声ファクシミリ信号伝送装置における信号の流れを説明する模式図である。
第６図は、この発明の実施の形態２に係る音声ファクシミリ信号伝送方法における判定処理について説明するフローチャートである。
第７図は、この発明の実施の形態２に係る音声ファクシミリ信号伝送装置における信号の流れを説明する模式図である。
第８図は、従来のファクシミリ信号伝送装置の一例を示すブロック図である。
第９図は、ＩＴＵ−Ｔ  Ｔ．３０に規定されているＦＡＸ通信制御手順を説明する模式図である。
第１０図は、ファクシミリ装置製造メーカ独自のファクシミリ通信制御手順の一例を説明する模式図である。
第１１図は、Ｔ．３０における標準手順によってファクシミリ通信手順を実行する場合の伝送処理について説明する模式図である。
第１２図は、Ｔ．３０非標準手順によってファクシミリ通信手順を実行する場合の伝送処理について説明する模式図である。
第１３図は、ＮＳＳ信号以外の独自信号が送出された場合の伝送処理について説明する模式図である。
発明を実施するための最良の形態
実施の形態１．
第１図は本発明の実施の形態１に係る音声ファクシミリ信号伝送装置の構成を示すブロック図である。第１図において、トランク側からは、電話の音声やファクシミリ端末のファクシミリ信号等が混在した音声ファクシミリ信号が入力される。ＤＣＭＥは、一般に複数チャネルの音声ファクシミリ信号が入力され、これを多重化して伝送する装置であるが、説明の簡単のため、第１図は、音声ファクシミリ信号チャネルのうちの１チャネルについて処理を行う装置例を示している。１１はトランク側のファクシミリ端末から入力されてくる音声ファクシミリ信号がＶ．２１信号かその他の信号かの判定を行う復調伝送判定部、１２は変調されたファクシミリ信号を復調するファクシミリ信号復調部、１３は音声符号化部である。１４は復調伝送判定部１１での判定結果に基づき指令する選択信号により信号の流れを切り替えるセレクタである。１５はファクシミリ信号復調部１２又は音声符号化部１３のいずれかを切り替えてベアラ側へ信号を出力する送信部である。この送信部１５において、１６は復調伝送判定部１１での判定結果に基づき指令する選択信号により信号の流れを切り替えるセレクタであり、１７は補助情報付加部である。受信側において、１８はベアラ側からの入力信号に付加された補助情報信号を分離する補助情報分離部、１９はベアラ側から入力されてくる復調されたファクシミリ信号を変調するファクシミリ信号変調部、２０は音声復号部、２１及び２２は補助情報分離部１８での補助情報に基づき指令される選択信号により信号を切り替えるセレクタである。
まず、送信側の信号伝送処理について説明する。復調伝送判定部１１はトランク側からの音声ファクシミリ信号が、Ｖ．２１信号かその他の信号かの判定を行い、その判定結果をセレクタ１４、１６及び補助情報付加部１５へ出力する。Ｖ．２１信号かその他の信号かの判定を行うには、ファクシミリ信号復調部１２において信号を復調した後の復調データを解析する必要がある。そこで、ファクシミリ信号復調部１２からの復調データを復調伝送判定部１１に入力して判定する。セレクタ１４は、復調伝送判定部１１の判定によりＶ．２１信号であると判定した場合、トランク側の音声ファクシミリ信号をファクシミリ信号復調部１２へ出力し、その他の信号であると判定した場合、音声符号化部１３へ出力する。ファクシミリ信号復調部１２は上記音声ファクシミリ信号の復調を行い、セレクタ１６にファクシミリベースバンドデータを出力する。音声符号化部１３では、上記音声ファクシミリ信号の音声符号化を行い、セレクタ１６に符号化データを出力する。セレクタ１６は、復調伝送判定部１１の判定結果に基づき、ファクシミリ信号復調部１２からの入力データまたは音声符号化部１３からの入力データを補助情報付加部１７へ出力する。補助情報付加部１７は、復調伝送判定部１１の判定結果に基づき、セレクタ１４からの入力データに対して、データがファクシミリベースバンドデータであるか符号化データであるかを識別する等の補助情報を付加して、ベアラ側へ出力する。
次に、受信側の信号伝送処理について説明する。補助情報分離部１８は、ベアラ側から入力される音声ファクシミリ信号の補助情報を分離し、その補助情報に基づき入力された音声ファクシミリ信号がファクシミリベースバンドデータであるか符号化データであるかを判定する。補助情報分離部１８は、判定結果をもとにセレクタ２１、２２へ選択信号を出力する。ここで、選択信号は音声ファクシミリ信号をファクシミリ信号変調部１９又は音声復号部２０のいずれの信号処理回路で処理するかを指令するものである。また、受信側の復調データを復調伝送判定部１１に入力して復調伝送判定部１１で解析し、判定する。セレクタ２１は、補助情報分離部１８の判定によりファクシミリベースバンドデータであると判定した場合、音声ファクシミリ信号をファクシミリ信号変調部１９へ出力し、符号化データであると判定した場合、音声復号部２０へ出力する。ファクシミリ信号変調部１９は、入力されたファクシミリベースバンドデータを再変調してセレクタ２２へ出力する。音声復号部２０は入力符号化データを復号してセレクタ２２へ出力する。セレクタ２２は、上記補助情報分離部１８の判定結果に基づき、ファクシミリ信号変調部１９からの出力信号または音声復号部２０からの入力信号を出力する。
第２図は音声ファクシミリ信号伝送方法における判定処理について説明するフローチャートであり、具体的には第１図における復調伝送判定部１１の判定処理について説明するものである。第２図に示す処理は、ファクシミリの通信手順において、ディジタル識別信号ＤＩＳが発呼側に送出され、その応答が送出される部分の処理である。この処理は、従来技術でいえば、第９図に示すＴ．３０標準手順の送信側ファクシミリ装置がディジタル命令信号ＤＣＳを送出している部分の処理や、第１０図に示す非標準手順の送信側ファクシミリ装置から非標準機能設定信号ＮＳＳが送出される分の処理に対応する。第２図のフローチャートによる動作は、メモリ内に記憶されたプログラムに基づいて、信号処理プロセッサによって実行される。
送信側ファクシミリ端末が非標準機能設定信号ＮＳＳを出さない場合の、非標準手順伝送について説明する。すなわち、受信側ファクシミリ装置がディジタル識別信号ＤＩＳを出力し、それに対して送信側ファクシミリ装置がディジタル命令信号ＤＣＳ及び非標準機能設定信号ＮＳＳ以外のＶ．２１信号を出力した場合について説明する。第３図は、この場合の送信側ファクシミリ装置、送信側音声ファクシミリ信号伝送装置、受信側ファクシミリ装置、及び受信側音声ファクシミリ信号伝送装置間における信号の流れを説明するための模式図である。第３図において、ステップＳ２１は受信側ファクシミリ装置がＤＩＳ信号を出力したときの受信側音声ファクシミリ信号伝送装置における処理、ステップＳ２２は送信側の音声ファクシミリ信号伝送装置における処理、ステップＳ２３は送信側ファクシミリ装置がＤＣＳ以外の信号を出力した場合の送信側音声ファクシミリ信号伝送装置における処理、ステップＳ２４は受信側の音声ファクシミリ信号伝送装置における処理を示す。まず、第３図におけるステップＳ２１に対応する部分の処理について説明する。受信側音声ファクシミリ信号伝送装置にＤＩＳ信号が入力された場合、第２図に示すステップＳ１により、Ｖ．２１信号を検出し、ステップＳ２により入力信号がＤＩＳ信号かどうかの判定を行う。この場合、ＤＩＳ信号であるので、ステップＳ２の判定の結果、ステップＳ７へ移行し、復調伝送を開始する。この受信側ファクシミリ装置でのＤＩＳ信号送出の後、送信側ファクシミリ装置が、ＤＣＳ信号でもなく、ＮＳＳ信号でもないＶ．２１信号を送出したとする。このとき、第３図における処理Ｓ２３に対応する第２図に示す復調伝送判定処理が実行される。第２図に示すステップＳ１において、Ｖ．２１信号を検出したのち、ステップＳ２における判定はＤＩＳ信号ではないので、ステップＳ３へ移行する。ステップＳ３における判定はＮＳＳ信号ではないので、ステップＳ４へ移行する。ステップＳ４において、ＤＣＳ信号ではないので、ステップＳ６へ移行し、モデム等伝送用音声コーデックによる伝送を開始する。即ち、復調伝送判定部１１は、上記のような判定に基づき、トランク側に入力される音声ファクシミリ信号を音声符号化部１３へ入力するようセレクタ１４へ選択信号を出力し、セレクタ１４は音声符号化部１３へ信号を出力する。以降のファクシミリ装置間の通信においては、非標準手順であっても、伝送装置が、モデム等伝送用音声コーデックルートによって信号を伝送するので、正常に伝送することができる。
次に送信側ファクシミリ装置がＮＳＳ信号を送出する場合の非標準手順について説明する。第４図は、この場合の信号の流れを説明する模式図である。第４図に示す処理に付した番号のうち、第３図と同じ番号を付した処理は、第３図におけるそれらの処理に相当な処理であることを示す。第４図において、ステップＳ２５は送信側ファクシミリ装置からＮＳＳ信号が送出された場合の音声ファクシミリ信号伝送装置における処理、ステップＳ２６は受信側の音声ファクシミリ信号伝送装置における処理を示す。このステップＳ２５に対応する第２図に示す復調伝送判定処理においては、ステップＳ１によりＶ．２１信号を検出したのち、ステップＳ２の判定はＤＩＳ信号ではないので、ステップＳ３へ移行する。ステップＳ３においてＮＳＳ信号であると判定するので、ステップＳ６へ移行し、モデム等伝送用音声コーデックによる伝送を開始する。以降のファクシミリ装置間の通信においては、非標準手順であっても、伝送装置が、モデム等伝送用音声コーデックルートによって信号を伝送するので、正常に伝送することができる
次にＴ．３０における標準手順について説明する。第５図はこの場合の信号の流れを説明する模式図である。第５図に示す処理に付した番号のうち、第３図と同じ番号を付した処理は、第３図におけるそれらの処理に相当な処理であることを示す。第５図において、ステップＳ２７は送信側ファクシミリ装置からＤＣＳ信号が送出された場合の音声ファクシミリ信号伝送装置における処理、ステップＳ２８は受信側の音声ファクシミリ信号伝送装置における処理を示す。。このステップＳ２７に対応する第２図に示す復調伝送判定処理においては、ステップＳ１によりＶ．２１信号を検出したのち、ステップＳ２の判定はＤＩＳ信号ではないので、ステップＳ３へ移行する。ステップＳ３においてＮＳＳ信号でないので、ステップＳ４へ移行する。ステップＳ４において、ＤＣＳ信号であるので、ステップＳ５に移行して復調伝送を継続する。
次に受信側ファクシミリ装置からＤＩＳ信号が送出された後、送信側ファクシミリ装置からＶ．２１信号ではないその他の信号を送出した場合について説明する。この場合、送信側音声ファクシミリ信号伝送装置は、第２図に示すステップＳ８によりその他の信号を検出し、ステップＳ９へ移行する。ＤＩＳ信号を受信しているので、ステップＳ９の判定によりステップＳ６へ移行して、モデム等伝送用音声コーデックによる伝送を開始する。ＤＩＳ信号を受信していない場合には、ステップＳ９の判定によりステップＳ１０へ移行して前伝送状態を継続する。
実施の形態２．
第６図は本発明の実施の形態２に係る音声ファクシミリ信号伝送装置の判定処理について説明するフローチャートである。この第６図は第１図における復調伝送判定部８の判定処理について説明するフローチャートである。第６図に示す処理は、ファクシミリの通信手順において、ディジタル識別信号ＤＩＳが発呼側に送出され、その応答が送出される部分の処理である。この処理は、従来技術でいえば、第９図に示すＴ．３０標準手順の送信側ファクシミリ装置がディジタル命令信号ＤＣＳを送出している部分の処理に相当するものである。第６図に示す処理に付した番号のうち、第２図と同じ番号を付した処理は、第２図におけるそれらの処理に相当な処理であることを示す。ステップＳ１３は、入力されたＶ．２１信号が、Ｔ．３０で規定されている信号かどうかを判定する処理である。
受信側ファクシミリ装置がＤＩＳ信号を出力し、これに対して送信側ファクシミリ装置がＴ．３０で規定されてない信号を出力した場合について説明する。第７図は、この場合の送信側ファクシミリ装置、送信側の音声ファクシミリ信号伝送装置、受信側ファクシミリ装置、及び受信側音声ファクシミリ信号伝送装置間における信号の流れを説明するの模式図である。第７図に示す処理に付した番号のうち、第３図と同じ番号を付した処理は、第３図におけるそれらの処理に相当な処理であることを示す。第７図におけるステップＳ２１は、実施の形態１において説明した処理内容と同様である。第７図におけるステップＳ２１に対応する部分の第６図での判定処理について説明する。受信側音声ファクシミリ信号伝送装置にＤＩＳ信号が入力された場合、第６図に示すステップＳ１により、Ｖ．２１信号を検出し、ステップＳ２により入力信号がＤＩＳ信号かどうかの判定を行う。この場合、ＤＩＳ信号であるので、ステップＳ２の判定の結果、ステップＳ７へ移行し、復調伝送を開始する。この受信側ファクシミリ装置でのＤＩＳ信号送出の後、送信側ファクシミリ装置が、Ｔ．３０に規定されていない信号を出力したとする。第７図において、ステップＳ３３は送信側ファクシミリ装置からＴ．３０に規定されていない信号が送出された場合の音声ファクシミリ信号伝送装置における処理、ステップＳ３４は受信側の音声ファクシミリ信号伝送装置における処理を示す。このステップＳ３３に対応する第６図に示す復調伝送判定処理においては、ステップＳ１によりＶ．２１信号を検出したのち、ステップＳ２における判定はＤＩＳ信号ではないので、ステップＳ３へ移行する。ステップＳ３における判定はＮＳＳ信号ではないので、ステップＳ１３へ移行する。ステップＳ１３において、Ｔ．３０に規定されていない信号であるので、ステップＳ６へ移行し、モデム等伝送用音声コーデックによる伝送を開始する。即ち、復調伝送判定部１１は、上記のような判定に基づき、トランク側に入力される音声ファクシミリ信号を音声符号化部１３へ入力するようにセレクタ１４へ選択信号を出力し、セレクタ１４は音声符号化部１３へ信号を出力する。以降のファクシミ装置間の通信においては、伝送装置が、モデム等伝送用音声コーデックルートによって信号を伝送するので、Ｔ．３０で規定されていない信号の場合でも、異常切断等の状況を避けることができる。
送信側ファクシミリ装置がＮＳＳ信号を送出する場合の非標準手順による判定処理の内容、及びＴ．３０における標準手順による判定処理の内容については、実施の形態１において説明したＮＳＳ信号を送出する場合の非標準手順による判定処理の内容、及びＶ．２１における標準手順による判定処理の内容と同様である。
【図１】
0003708520.tif 000002
【図２】
0003708520.tif 000003
【図３】
0003708520.tif 000004
【図４】
0003708520.tif 000005
【図５】
0003708520.tif 000006
【図６】
0003708520.tif 000007
【図７】
0003708520.tif 000008
【図８】
0003708520.tif 000009
【図９】
0003708520.tif 000010
【図１０】
0003708520.tif 000011
【図１１】
0003708520.tif 000012
【図１２】
0003708520.tif 000013
【図１３】
0003708520.tif 000014